(57)【要約】      （修正有）【課題】つるや蔦を切断する刈払機の主軸棒に取り付けられる作業能率を高めた刈払機の切断金具を提供する。【解決手段】刈払機の主軸捧に取り付けた固定金具５と、該固定金具５に固定した切断刃７とを備え、前記切断刃７は台形であって底辺の両側に斜めに設ける。切断金具が小型軽量で使いやすく安全面も考えて下向きの両側だけに刃を付け、刈払機を押したり引いたりしながら切断金具を鎌のように使用し簡単に蔦やつるを切ることができ安全で作業の効率を高めることができる。【選択図】図１
0003177843.tif 000002
【実用新案登録請求の範囲】
【請求項１】
刈払機の主軸棒につる切断金具を取り付け、刈払機の主軸棒のハンドル付近に絡み付く蔦やつるを切ることの出来るつる切断金具。
【考案の詳細な説明】
【技術分野】
【０００１】本考案は、刈払機の主軸棒に絡み付く蔦やつるを簡単に切ることのできるつる切断金具に関するものである。
【背景技術】
【０００２】従来から、蔦やつるを切る方法として、刈払機の刃先だけで鋸刃や十字刃または、鋸刃の中程に突起状の刃を付けつるを切っていたが、刈払機の主軸棒に絡み付く蔦やつるを刈払機の主軸棒で切ると言う発想は無かった。
【先行技術文献】
【特許文献】
【０００３】
【特許文献１】特開２００６−２１１９９１号公報
【考案の概要】
【考案が解決しようとする課題】
【０００４】しかしながら、従来の鋸刃や十字刃だけの方法では、主軸棒に絡まった蔦やつるを切ることができず作業能率が悪かった。
本考案は、刈払機の主軸棒につる切断金具を取り付ければ容易につるを切って作業をすることが可能となった。
【考案が解決するための手段】
【０００５】  そこで、従来、刈払機の主軸棒でつるを切ると言う発想は無く主軸棒につる切断金具を付ける事により刈払機を押したり引いたりまた、鎌の様に使ってつるを切る仕組である。
【考案の効果】
【０００６】  刈払機を使用する場合、つる切断金具が小型で軽量で使いやすく、かつ、安全面も考え、下向きの両サイドだけに刃を付け、上面は丸くして、刈払機を、押したり、引いたり、また、鎌の様に使って簡単につるを切ることが出来、安全で作業効率が非常に高くなる。
【図面の簡単な説明】
【０００７】
【図１】本考案のつる切断金具を取り付けた状態の斜視図である。
【図２】本考案のつる切断金具の分解取り付け図である。
【考案を実施するための形態】
【０００８】刈払機の主軸棒に、図１に図示したつる切断金具を固定したものである。
【実施例】
【０００９】つる切断金具（Ａ）の切断刃（７）の大きさは、刈払機（Ｂ）の重量が増えない様に、また、安全面も考慮して、横長上面８ｃｍ、高さ３ｃｍ、厚さ０、１ｃｍ、ないし０、２ｃｍ、底辺面２ｃｍ、の台形長方形で、安全面のため、上部０、５ｃｍ、下がりのところより、斜めに底辺部に切断刃（７）を両側に付け、刈払機（Ｂ）の主軸棒（６）に固定金具（５）を取り付けをするために、底辺部に一個ねじ穴（２）をあける。
【産業上の利用可能性】
【０００１０】刈払機の主軸棒につるが絡まったり、のしかかれば刈払機の主軸棒が非常に重く作業能率が悪く労力負担も大変であった。
しかし、作業中につるが絡まったりのしかかっても刈払機を押したり、引いたり、また、鎌の様に使えば切断刃によってつるが簡単が切れ作業能率が上り、仕事もはかどり楽になる。
【符号の説明】
【０００１１】１    固定ねじ
２    固定ねじ穴
３    切断刃金具
４    固定ちょうねじ
５    固定金具
６    主軸棒
７    切断刃
８    ハンドル
９    エンジン
１０  草刈鋸刃
【図１】
0003177843.tif 000003
【手続補正書】
【提出日】平成24年3月26日(2012.3.26)
【手続補正１】
【補正対象書類名】実用新案登録請求の範囲
【補正対象項目名】全文
【補正方法】変更
【補正の内容】
【実用新案登録請求の範囲】
【請求項１】
刈払機の主軸棒に固定金具で切断刃を固定し、ハンドル付近に絡み付いた、つるや蔦は、自動的に切断刃で切断でき、刃の反対側に絡み付いた、つるや蔦は、鎌の様に引っかけることにより切断できる、つる切断金具である。
【手続補正２】
【補正対象書類名】図面
【補正対象項目名】全図
【補正方法】変更
【補正の内容】
【図１】
0003177843.tif 000004
【手続補正書】
【提出日】平成24年5月31日(2012.5.31)
【手続補正１】
【補正対象書類名】実用新案登録請求の範囲
【補正対象項目名】全文
【補正方法】変更
【補正の内容】
【実用新案登録請求の範囲】
【請求項１】
刈払機の主軸捧に取り付けた固定金具と、該固定金具に固定した切断刃とを備え、前記切断刃は台形であって底辺の両側に斜めに設けたことを特徴とする刈払機の切断金具
【手続補正２】
【補正対象書類名】明細書
【補正対象項目名】全文
【補正方法】変更
【補正の内容】
【考案の詳細な説明】
【技術分野】
【０００１】  本考案は刈払機の主軸棒に絡み付く蔦やつるを簡単に切ることのできる刈払機の切断金具に関する。
【背景技術】
【０００２】従来、刈払機に絡み付く蔦やつるを切る方法として、刈払機に取り付けた鋸刃や十字刃の刃だけ、あるいは鋸刃の中程に設けた刃によりつるを切っていた。
【先行技術文献】
【特許文献】
【０００３】
【特許文献１】特開  ２００６ー２１１９９１号公報
【考案の概要】
【考案が解決しようとする課題】
【０００４】しかしながら、従来の鋸刃や十字刃だけできる方法では主軸棒に絡まった蔦やつるを切ることができず刈払作業の能率が低下した。特に、刈払機の主軸棒に絡み付く蔦やつるを刈払機の主軸棒を利用して切るという発想はなかった。【０００５】本考案は、刈払機の主軸棒に絡み付く蔦やつるの切断金具を取り付け容易に蔦やつるを切ることが可能にしたものである。
【課題を解決するための手段】
【０００６】そこで、本考案は刈払機の主軸棒に切断金具を取り付け、刈払機を押したり引いたりしながら鎌のようにして蔦やつるを切るものである。
【考案の効果】
【０００７】刈払機を使用する場合、切断金具が小型軽量で使いやすく安全面も考えて下向きの両側だけに刃を付け、刈払機を押したり引いたりしながら切断金具を鎌のように使用し簡単に蔦やつるを切ることができ安全で作業の効率を高めることができる。
【図面の簡単な説明】
【０００８】
【図１】本考案の切断金具を取り付けた状態の刈払機の斜視図である。
【図２】本考案の切断金具の分解図である。
【考案を実施するための形態】
【０００９】刈払機の主軸棒に図１に示した切断金具を固定したものである。
【実施例】
【００１０】はじめに切断金具（Ａ）について説明する。（１）は固定ねじ、（２）は固定ねじ穴、（３）は後述する刈払機（Ｂ｝の主軸棒（６）に取り付けた切断刃金具（４）は固定ちょうねじ、（５）は主軸棒（６）に取り付けた固定金具、（７）は前記固定金具（５）により前記主軸棒（６）に固定した台形の切断刃で、刈払機（Ｂ）の重量が増えない様に安全面を考慮し横長上面８ｃｍ、高さ３ｃｍ、厚さ０．１〜０．２ｃｍ、底辺２ｃｍとし、上部から０．５ｃｍ下がったところから底辺の両側に斜めに設けている。さらにこの切断金具は上面を丸くしている。【００１１】次に、刈払機（Ｂ）について説明する。刈払機の主軸棒（６）に前記固定金具（５）を取り付けるために底辺に１個の前記ねじ穴（２）を閉けている。（８）はハンドル、（９）はエンジン、（１０）は草刈鋸刃である。
【産業上の利用可能性】
【００１２】刈払機の主軸棒に蔦やつるが絡まった場合、あるいは主軸棒に蔦やつるがのしかかった場合には刈払機の主軸棒が非常に重くなり作業の能率が低く労力も多かった。【００１３】しかし、作業中に蔦やつるが絡まったりのしかかっても刈払機を押したり引いたりして鎌のように使えば切断刃によって簡単に切ることのでき作業の能率が上がり、仕事がはかどり楽になる。
【符号の説明】
【００１４】１    固定ねじ２    固定ねじ穴３    切断刃金具４    固定ちょうねじ５    固定金具６    主軸棒７    切断刃８    ハンドル９    エンジン１０  草刈鋸刃
【手続補正３】
【補正対象書類名】図面
【補正対象項目名】全図
【補正方法】変更
【補正の内容】
【図１】
0003177843.tif 000005
【図２】
0003177843.tif 000006